(57)【要約】  弦のセットを支持するためのネックと本体を備える楽器であって、弦を楽器から単一部品として取り外すための取り外し可能な手段をさらに備える楽器。【選択図】  図１
2021500600.tif 000002
【特許請求の範囲】
【請求項１】
弦のセットを支持するためのネック及び本体を備える楽器であって、
弦を楽器から単一部品として取り外すための取り外し可能な手段をさらに備える、楽器。
【請求項２】
第１の組の弦および第２の組の弦を含む楽器であって、第１の組の弦または第２の組の弦のいずれかの取り付けを可能にするように適合された楽器。
【請求項３】
弦のセットを支持するためのネック及び本体を備える楽器であって、
前記楽器のネックおよび本体を可逆的に接合し、前記楽器のネックおよび本体に構造的剛性を提供するように適合された接続箱をさらに備える、楽器。
【請求項４】
前記楽器が折り畳み式楽器である、請求項１、２または３に記載の楽器。
【請求項５】
前記第１の組の弦は、クラシック楽器用の弦の組であり、前記第２の組の弦は、アコースティック楽器用の弦の組である、請求項２、３または４に記載の楽器。
【請求項６】
前記楽器が、ヘッドストックと、ヘッドストックをネックに着脱可能に固定するための手段を備える、請求項１〜５のいずれかに記載の楽器。
【請求項７】
前記弦の張力が、前記楽器を組み立てられた状態に維持する、請求項１に記載の楽器。
【請求項８】
前記楽器から前記弦を迅速に解放する手段を備える、請求項１〜７のいずれかに記載の楽器。
【請求項９】
前記楽器が、前記弦を案内するための第１および／または第２のガイド手段を備える、請求項１〜８のいずれかに記載の楽器。
【請求項１０】
前記第１のガイド手段は、前記弦を前記ヘッドストック上で互いに対して所定の位置に案内するように、前記ヘッドストックに対して横方向に移動することなく、前記ヘッドストックに対して旋回するように適合されている、請求項９に記載の楽器。
【請求項１１】
前記第２のガイド手段は、前記ヘッドストックにおいて前記弦の互いに対する位置を維持するように適合されている、請求項９または１０に記載の楽器。
【請求項１２】
前記第２のガイド手段は、支点を備える、請求項９〜１１のいずれか１項に記載の楽器。
【請求項１３】
前記第２のガイド手段は、前記支点を介して前記弦に張力を付与するように適合されている、請求項１２に記載の楽器。
【請求項１４】
前記支点は、前記弦の上方に配置され、前記楽器のネックに対する前記ヘッドストックの回転中に、前記弦が前記ヘッドストックの平面から持ち上がることを防止する、請求項１２または１３に記載の楽器。
【請求項１５】
前記支点がローラーバーを含む、請求項１２、１３または１４に記載の楽器。
【請求項１６】
前記第１のガイド手段は、前記第２のガイド手段に取り付けられている、請求項９〜１５のいずれか１項に記載の楽器。
【請求項１７】
前記第２のガイド手段は、前記第１のガイド手段のための軸として機能するように適合されている、請求項９〜１６のいずれか１項に記載の楽器。
【請求項１８】
前記第２のガイド手段は、前記ヘッドストックの中央リブに取り付けられている、請求項９〜１７のいずれか１項に記載の楽器。
【請求項１９】
前記第２のガイド手段の中央部分は、前記第１のガイド手段および／または前記ヘッドストックに取り付けられ、前記第２のガイド手段は、自由外端を備える、請求項９〜１８のいずれか１項に記載の楽器。
【請求項２０】
前記楽器の前記ネックからの前記ヘッドストックの取り付けおよび／または取り外しを補助するように構成された摺動可能な延長部をさらに備える、請求項１〜１９のいずれかに記載の楽器。
【請求項２１】
前記摺動可能な延長部は、前記楽器から前記ヘッドストックを迅速に解放するためのレバーを提供する、請求項２０に記載の楽器。
【請求項２２】
前記ネックは、前記本体に取り外し可能に接続されている、請求項１〜２１のいずれかに記載の楽器。
【請求項２３】
前記接続箱は、前記楽器のネックと本体とを接続するためのアンカーポイントとして作用する、請求項３〜２２のいずれか１項に記載の楽器。
【請求項２４】
前記接続箱は、前記ネックの前記楽器の本体への取り付け及び／又は前記本体からの取り外しのための可逆的取り付け機構を収容する、請求項３〜２３のいずれか１項に記載の楽器。
【請求項２５】
前記可逆的取り付け機構が、ロックおよび／またはロック解除手段を含む、請求項２４に記載の楽器。
【請求項２６】
前記可逆的取り付け機構がラッチ部材を含む、請求項２４または２５に記載の楽器。
【請求項２７】
前記ラッチ部材がフックを含む、請求項２６に記載の楽器。
【請求項２８】
前記ラッチ部材は、前記楽器のネックに設けられたロック部材またはロック開口と係合する、請求項２６または２７に記載の楽器。
【請求項２９】
前記ラッチ部材が回転可能である、請求項２６〜２８のいずれか１項に記載の楽器。
【請求項３０】
前記楽器が、前記ラッチ部材に取り付けられた操作ハンドルを備える、請求項２６〜２９のいずれか１項に記載の楽器。
【請求項３１】
前記操作ハンドルの回転が、前記ラッチ部材の移動を駆動して、ユーザが前記ラッチ部材をロックおよび／またはアンロック位置からアンロックおよび／またはロック位置に移動させることを可能にする、請求項３０に記載の楽器。
【請求項３２】
前記接続箱は、前記楽器の本体の内部に収容される、請求項３〜３１のいずれかに記載の楽器。
【請求項３３】
前記接続箱は、固定ボルト、接着剤、または他の取り付け手段によって、前記楽器の本体内の所定の位置に保持される、請求項３２に記載の楽器。
【請求項３４】
前記接続箱が、木材、またはナイロンおよび／またはポリオキシメチレン（Ｄｅｌｒｉｎ）などのプラスチック材料を含む、請求項３〜３３のいずれか１項に記載の楽器。
【請求項３５】
前記接続箱は、３Ｄ印刷によって形成される、請求項３〜３４のいずれか１項に記載の楽器。
【請求項３６】
前記接続箱は、射出成形によって形成される、請求項３〜３４のいずれか１項に記載の楽器。
【請求項３７】
楽器のネックを調節するための手段をさらに備える、請求項１〜３６のいずれかに記載の楽器。
【請求項３８】
前記楽器は、少なくとも１つのホイールをさらに備える、請求項１〜３７のいずれかに記載の楽器。
【請求項３９】
前記楽器が２つのホイールを含む、請求項３７または３８に記載の楽器。
【請求項４０】
前記少なくとも１つのホイールが回転可能である、請求項３８または３９に記載の楽器。
【請求項４１】
前記少なくとも１つのホイールは、前記楽器のネックが、その長手方向軸の周りで左側または右側にわずかに回転することを可能にする、請求項３８〜４０のいずれか１項に記載の楽器。
【請求項４２】
前記少なくとも１つのホイールの回転が、前記弦に対する前記ネックの位置を調整する、請求項４１に記載の楽器。
【請求項４３】
前記少なくとも１つのホイールが、一方側が他方側よりも厚いリムを備え、それにより、前記ネックの各側が、前記接続箱の溝付きベアリング面に当接する前記ホイールの前記リムの厚さに応じて、前記弦に対して上昇または下降することができる、請求項３８〜４２のいずれか１項に記載の楽器。
【請求項４４】
前記少なくとも１つのホイールは、ユーザが厚さの最大領域および厚さの最小領域を識別することができるように、外向き面上にマーキングされている、請求項３８〜４３のいずれか１項に記載の楽器。
【請求項４５】
前記厚さの最大領域が約５ｍｍである、請求項４４に記載の楽器。
【請求項４６】
前記厚さの最小領域が約２ｍｍである、請求項４４または４５に記載の楽器。
【請求項４７】
前記少なくとも１つのホイールの調整は、前記ネックが所定の位置にロックされていない場合にのみ行うことができる、請求項３８〜４６のいずれか１項に記載の楽器。
【請求項４８】
前記弦を受け入れるブリッジと、該弦を前記ブリッジに固定する手段とをさらに備える、請求項１〜４７のいずれかに記載の楽器。
【請求項４９】
前記ブリッジは、着脱可能部分と着脱不能部分とを備える、請求項４８に記載の楽器。
【請求項５０】
前記着脱不能部分は、前記着脱可能部分に固定されるように適合される、請求項４９に記載の楽器。
【請求項５１】
前記着脱可能部分が、前記楽器の前記弦に結合するための取り外し可能な手段をさらに備える、請求項４９または５０に記載の楽器。
【請求項５２】
前記弦を結合するための前記取り外し可能な手段は、前記着脱可能部分に前記弦の各々のための少なくとも１つの開口を備える、請求項５１に記載の楽器。
【請求項５３】
前記着脱不能部分は、前記着脱可能部分の意図しない取り外しを防止するための保持手段を含み、前記保持手段は、前記弦の張力に対して前記着脱可能部分を保持するように適合される、請求項４９〜５２のいずれか１項に記載の楽器。
【請求項５４】
前記保持手段は、前記本体の方向に実質的に垂直な方向への前記着脱可能部分の移動を防止する手段を含む、請求項５３に記載の楽器。
【請求項５５】
前記保持手段がリップを含み、前記リップが、前記弦楽器のネックから離れる方向に前記楽器の本体に実質的に平行な平面で突出する、請求項５３または５４に記載の楽器。
【請求項５６】
前記リップは、各弦が通過することができる弦保持チャネルを備える、請求項５５に記載の楽器。
【請求項５７】
前記着脱可能部分および／または着脱不能部分は、舌部を有する、請求項４９〜５６のいずれか１項に記載の楽器。
【請求項５８】
前記着脱可能部分および／または着脱不能部分が溝を有し、前記舌部が前記溝によって固定されるように、前記舌部が前記溝に可逆的に結合する、請求項５７に記載の楽器。
【請求項５９】
前記弦は、前記ヘッドストックを介して、および／または前記ブリッジを介して、前記楽器から取り外され得る、請求項４８〜５８のいずれか１項に記載の楽器。
【請求項６０】
前記楽器がギターである、請求項１〜５９のいずれかに記載の楽器。
【請求項６１】
前記楽器が、クラシックギターまたはアコースティックギターである、請求項６０に記載の楽器。
【請求項６２】
請求項３〜６１のいずれかに記載の接続箱を含む楽器のネックと本体を可逆的に取り付ける方法。
【請求項６３】
請求項３〜６２のいずれか１項に記載の接続箱を含む楽器を形成する方法。
【請求項６４】
前記接続箱を形成する方法が３Ｄ印刷を使用するステップを含む、請求項６３に記載の方法。
【請求項６５】
前記接続箱を形成する方法が、射出成形を使用するステップを含む、請求項６３に記載の方法。
【発明の詳細な説明】
【技術分野】
【０００１】
本出願は、弦楽器の弦（又は、ストリング）を単一部品として取り外し及び／又は再取り付けするための手段を含む楽器（又は、器具／instrument）に関する。より具体的には、本出願は、交換可能な弦のセットを含む器具に関する。
【０００２】
多くの弦楽器は、ヘッドストックを有し、ヘッドストックは、楽器のブリッジとは反対側の端部にある楽器の部分である。ヘッドストックは、弦を楽器のネックに固定し、弦が打たれた（又は、弾かれた）ときに共振できるように弦を正しい高さに位置決めする。ヘッドストックは、典型的には、弦楽器は、例えば、チューニングペグの形態でチューニングするための手段を備える。
【発明の開示】
【発明が解決しようとする課題】
【０００３】
弦楽器の本体またはネック（又は、首部）を検査または修復するために、弦は個別に取り外されなければならない。これは、時間のかかるプロセスであり、楽器を再配置および再調整する必要があるため、さらに望ましくないものとなる。楽器の弦の張り直しは、長いプロセスであり、新しい弦の追加コストを伴うことがある。
【０００４】
加えて、折り畳み可能なギター（例えば、国際特許出願PCT／GB2014／000139号に記載のもの）のような折り畳み可能な楽器を分解するとき、弦はまた、取り外されなければならず、または代わりに、ギターの本体に取り付けられたままで格納されなければならず、これは、弦が絡まってしまうことにつながる可能性がある。さらに、ギターを分解するとき、例えば国際特許出願PCT／GB2015／053286に記載されているように、弦を楽器のブリッジから取り外すことが有利である。
【０００５】
本発明は、上記のような欠点を軽減しようとするものである。
【課題を解決するための手段】
【０００６】
第１の態様によれば、弦のセットを支持するためのネックと本体（又は、ボディ）を備え、弦を楽器から単一部品（又は、単一のピース）として取り外すための取り外し可能な手段をさらに備える楽器が提供される。単一部品として弦を取り外すことは、さもなければ弦によって妨害されるであろう楽器の本体及びネックが容易にアクセス可能であることを有利に可能にする。
【０００７】
第２の態様によれば、第１の組の弦と第２の組の弦とを備える楽器が提供され、楽器は、第１の組の弦または第２の組の弦のいずれかの取り付けを可能にするように適合される。一実施形態では、第１の組の弦は、クラシックギター用の弦の組であってもよく、第２の組の弦は、アコースティックギター用の弦の組であってもよい。有利には、本発明の楽器は、必要に応じて楽器の弦を変更するオプションをユーザに提供し、したがって、楽器の性質を有利に変更する。
【０００８】
第３の態様によれば、楽器と、弦のセットを支持するためのネックとが提供され、楽器は、楽器のネックと本体とを可逆的に接合し、楽器のネックと本体とに構造的剛性を提供するように適合された接続箱（又は、接続ボックス、又は、ジャンクションボックス）をさらに備える。有利には、接続箱は、支持を提供し、楽器のネックおよび本体に機械的剛性を確保する。有利には、ネックおよび本体の可逆的な取り付けは、柔軟性を提供し、例えば、ネックおよび本体が、折り畳み可能な楽器の組み立ておよび／または分解の間に、互いに可逆的に取り付けられ、かつ／または互いから取り外されることを可能にする。有利には、接続箱は、楽器のネックおよび本体を互いに迅速に取り付けおよび／または取り外すことを可能にし、したがって、楽器のネックおよび本体の組み立ておよび／または分解の速度を改善する。
【０００９】
好ましくは、楽器は折り畳み可能な楽器である。
【００１０】
好ましくは、楽器は、ヘッドストックと、ヘッドストックをネックに取り外し可能に固定するための手段とを含む。有利には、弦は、ヘッドストックから弦を巻き戻すことなく楽器から取り外すことができ、したがって、弦を取り外すのにかかる時間が短縮される。
【００１１】
好ましい実施形態では、組み立てられた位置において、ネックは、その近位端で本体に取り付けられ、その遠位端でヘッドストックに取り付けられる。ヘッドストックはネックに取り外し可能に接続されているため、分解された部品は、本体によって規定された空間内に完全に適合することができる。好ましくは、着脱可能な固定手段は、ヒンジを有し得る。追加的に又は代替的に、使用中にヘッドストックが偶発的に前方に変位するのを防止するために、保持フックなどの保持手段がヘッドストックとネックとの間を設けることができる。好ましくは、保持手段は、ヘッドストックの背面を首（又は、ネック）の背面に接合するように配置される（すなわち、第１の組の弦を含む側ではない）。最も好ましくは、保持手段は弾性であり、例えば、ばね負荷される。
【００１２】
好ましくは、ヘッドストックは、ヘッドストックを楽器のネックに取り付けるヒンジピンを含む。一実施形態では、着脱可能な固定手段は、ヒンジピンであってもよい。好ましくは、ヒンジピンは、ネックに実質的に隣接する位置で、ネックの長手方向軸に実質的に垂直なヘッドストックの軸に沿った実質的に中央の位置に設けられる。好ましくは、ヒンジピンは、ヘッドストックを楽器のネックに取り付けるために、楽器のネック上の対応する取り付け部分と係合する。好ましくは、ヒンジピンは、楽器のネックに設けられたフックと係合して、ヘッドストックを楽器のネックに取り付ける。一実施形態では、ヒンジピンは、保持フックと係合する。好ましくは、ヒンジピンに実質的に隣接してブロックが設けられる。有利には、ブロックは、弦が絡まらないようにする。典型的には、弦は、例えば、鋼弦は、古典的なナイロン弦よりもはるかに短い伸びを有するため、張力をかける直前に緩んだときに絡み合い、その結果、ヘッドストックが所定の位置に回転されると、使用者は、回転の終了直前に弦抵抗に遭遇する。好ましくは、ブロックは木材を含む。
【００１３】
好ましくは、弦の張力は、楽器を組み立てられた状態に維持する。
【００１４】
楽器は、弦を案内するための案内手段（ガイド手段）を備えることが好ましい。楽器の分解の間、弦の相対的な空間的位置は、かなり変化し得、これは、再組み立てを煩わしくし、困難にし得る。ガイド手段は、再組み立てプロセスを容易にする。
【００１５】
好ましくは、ガイド手段は、ネックのナットにおいて、弦を互いに対して所定の位置に案内することができる。例えば、弦が通過するヘッドストック上に可動ガイド手段を設けることができ、これは弦を互いに対してそれらの空間位置に保持し、ヘッドストックが再取り付けされると、弦は自動的にそれらの正しい位置に案内される。これに加えて、又はこれに代えて、ガイド手段は、弦を互いに対して所定の位置に維持することができる。楽器の弦は、それらの異なる張力特性のために、全て異なる長さであることが分かる場合がある。これは、弦が依然としてヘッドストック及び本体に取り付けられているので、ヘッドストックがネックから取り外されて本体内に収容されるときに絡み合う問題を引き起こすことがある。
【００１６】
好ましくは、ガイド手段は、解体プロセス及び収納の間、弦をヘッドストック上の所定の位置にトラップすることを可能にする。
【００１７】
楽器は、弦を案内するための第１および／または第２のガイド手段を備えることが好ましい。
【００１８】
好ましくは、第１のガイド手段は、ヘッドストックにおいて弦を互いに対して所定位置に案内するために、ヘッドストックに対して横方向に移動することなく、ヘッドストックに対して旋回するように適合される。好ましくは、第１のガイド手段は、弦位置決め揺動アームとして設けられる。
【００１９】
好ましくは、第１のガイド手段は、ヘッドストックをネック及び／又はヒンジピンに実質的に隣接する木製ブロックに取り付けるためのヒンジピンを収容することができる開口又は凹部を含む。
【００２０】
好ましくは、第２のガイド手段は、ヘッドストックにおいて互いに対して弦の位置を維持するように適合される。
【００２１】
第２のガイド手段は支点を備えることが好ましい。好ましくは、第２のガイド手段は、支点を介して弦に張力を付与するように適合される。有利には、弦張力の負荷および／または除荷は、典型的には、ヘッドストック自体によって提供される支点上の同じ機械的に有利な点から、弦のすべてに張力をかけることによって容易にすることができる。典型的には、支点は弦の上方に配置され、楽器のネックに対するヘッドストックの回転中に弦がヘッドストックの平面から持ち上がるのを防止する。
【００２２】
好ましくは、支点はローラーバーを含む。支点は、第１のガイド手段に取り付けられることが好ましい。好ましくは、支点はヘッドストックに取り付けられる。支点は、典型的には、ヘッドストックの両側に固定された少なくとも１つの軸受（又は、ベアリング）によって支持される横断ローラーバーを備えることが好ましい。
【００２３】
好ましくは、第２のガイド手段は、第１のガイド手段のための軸として機能するように適合される。一実施形態では、第１のガイド手段は、第２のガイド手段の軸の周りを回転し得る。好ましくは、ローラーバーは、第１のガイド手段の軸として機能する。
【００２４】
典型的には、ローラーバーは、ヘッドストックの前方及び／又は後方回転の間、その下方に弦をトラップするように配置され、従って、有利には、ヘッドストックの回転中に、弦がヘッドストックの前面の平面から離れるのを阻止し、これは、そうでなければ、典型的にはアコースティックギター型巻取歯車装置に使用される垂直に配置された巻取歯車ペグ（例えば、チューニングペグ）へのそれらの取り付けから緩める可能性がある。
【００２５】
好ましくは、支点は、ヘッドストック自体によって提供される支点上の同じ機械的に有利な点から全ての弦に張力を加えさせることによって、弦張力の負荷及び／又は除荷を容易にする。
【００２６】
一実施形態では、第２のガイド手段は、保持ピンによってヘッドストックに取り付けられる。好ましくは、保持ピンは、第２のガイド手段の実質的に中心を通って挿入されてもよい。好ましくは、保持ピンは、ヘッドストックに設けられた少なくとも１つの軸受との相互作用によって第２のガイド手段を所定位置に保持する。好ましくは、少なくとも１つの軸受は、保持ピンが通過することができる開口を備える。前記保持ピンは、前記少なくとも１つのベアリング及び前記第２のガイド手段を通過して、前記第２のガイド手段を前記組み立てられた構成で保持することが好ましい。好ましくは、保持ピンは、弦ガイドピボットロッドとして働き、従って、弦ガイド手段の重要な一体部分である。好ましくは、保持ピンは、弦ガイドピボットロッドとして機能し、従って、第２ガイド手段の重要な一体部分である。典型的には、保持ピンは、弦ガイド本体、すなわち第２のガイド手段を交換する必要がない限り、取り外されることを意図されていない。一実施形態では、保持ピンを第２のガイド手段および少なくとも１つの軸受から取り外すことにより、例えば保守のために、第２のガイド手段を楽器のヘッドストックから取り外すことができる。
【００２７】
一実施形態では、第２のガイド手段は、ヘッドストックの中央リブに取り付けることができ、ここで、ヘッドストックの中央リブは、同調ペグの弦巻きドラムを含むスロットを分離するヘッドストックの一部である。好ましくは、第２のガイド手段は、軸ロッド、典型的には支点として設けられ、これは、典型的にはヘッドストックの中央リブに回転可能に取り付けられる。好ましくは、第２のガイド手段は、少なくとも１つの保持プレートによってヘッドストックに取り付けられる。好ましくは、第２のガイド手段は、２つの保持プレートによってヘッドストックに取り付けられる。有利には、第２のガイド手段をヘッドストックの中央リブに取り付けることは、ユーザが調整ペグの弦巻きドラムにアクセスするのを助け、したがって、楽器の弦を交換するプロセスを助ける。有利には、第２のガイド手段をヘッドストックの中央リブに取り付けることは、楽器の弦が第２のガイド手段の下を通過する必要がないことを意味する。典型的には、レバーロックを使用して、楽器の弦に張力を加えるのを助けることができる。好ましくは、この実施形態で使用することができる楽器は、クラシックギター、好ましくはクラシックスペインギターである。
【００２８】
別の実施形態では、第２のガイド手段は、軸、好ましくは軸ロッドを提供し、その下を楽器の弦が通過することができる。好ましくは、第２のガイド手段は支点として設けられる。有利には、この実施形態では、第２のガイド手段は、楽器の弦が同調ペグの弦巻きピンから外れるのを防止する。好ましくは、第２のガイド手段は、少なくとも１つの保持プレートによってヘッドストックに取り付けられる。好ましくは、互いに実質的に近接した２つの保持プレートが設けられる。一実施形態では、軸ロッドは、いずれかの側でプレートを越えて延在してもよく、弦張力操作中に、前述の実施形態のように弦を捕捉する。好ましくは、第２のガイド手段は、第１のガイド手段に回転可能に取り付けられる。第２のガイド手段は、楽器が組み立てられた構成にあるとき、楽器の弦の上方に配置されることが好ましい。好ましくは、第２のガイド手段の中央部分は、第１のガイド手段および／またはヘッドストックに取り付けられ、第２のガイド手段は、自由な外側端部（すなわち、別の構成要素に取り付けられていない端部）を備える。有利には、自由な外側端部は、使用者が第２のガイド手段の下で弦を送ることを可能にし、楽器の弦を交換するときに使用者を補助する。好ましくは、この実施形態で使用され得る楽器は、スチール弦アコースティックギターである。
【００２９】
好ましくは、ユーザは、ヘッドストック上の中央リブに取り付けられた第２のガイド手段を有する一組の古典的な弦（クラシックの弦）を備えるヘッドストックを、自由な外端を有する第２のガイド手段を備える一組の鋼製弦（スチール弦）を備えるヘッドストックと交換することができる。
【００３０】
好ましくは、楽器は、楽器のネックからヘッドストックを取り付ける及び／又は取り外すのを助けるように適合された摺動可能な延長部を更に含む。好ましくは、摺動可能な延長部は、ヘッドストックの遠位端（すなわち、ネックから最も遠いヘッドストックの端部）に設けられる。好ましくは、摺動可能な延長部は、ヘッドストックの遠位端に実質的に隣接する第１の位置から、ヘッドストックの遠位端から延在する第２の位置まで移動可能である。有利には、摺動可能な延長部が第２の位置にあるとき、ヘッドストックの長さは、ヘッドストックをネックから取り外し又はネックに取り付けるのに必要な労力が低減されるように、効果的に延長される。好ましくは、摺動可能な延長部は、楽器からのヘッドストックの迅速な解放を補助するレバーを提供する。摺動可能な（格納式としても知られている）延長部は、有利には、楽器のスチール弦によって提供される高い抵抗に打ち勝つのを助ける。
【００３１】
好ましくは、ネックは、本体に取り外し可能に接続される。好ましくは、楽器は、ネックを身体に取り外し可能に固定するための手段を含む。固定手段は、ネックを組み立てられた位置で本体に固定するための手段を含むことができる。楽器は、楽器の本体に対してネックを調整するための手段をさらに備えることが好ましい。
【００３２】
一実施形態では、ネックを本体に取り付ける機構は、楽器のネックに取り付けられたロック部材と係合する楽器の本体に取り付けられたラッチ部材を含むことができる。有利には、この実施形態の機構は、ナットやボルトのような緩い（又は、緩んだ、又は、ルーズな）固定部品の使用を必要とせず、工具の使用を必要としない。好ましくは、ラッチ部材は、実質的にＬ字形とすることができ、例えばロックばねの形態の付勢手段を備えることができる。付勢手段を設けることは、ラッチ部材とロック部材との係合を有利に補助する。好ましくは、操作ハンドルを設けて、使用者が、ラッチ部材を、楽器のネックに設けられたロック部材と係合するラッチ位置から、ロックスプリングのバイアスに対する係合解除位置に移動させることができるようにしてもよい。一実施形態では、操作ハンドルは、ラッチ部材に取り付けられてもよい。
【００３３】
別の実施形態では、ネックは、固定ボルトを介して楽器の本体に取り付けることができる。
【００３４】
好ましくは、接続箱は、楽器のネックと本体とを接続するためのアンカーポイントとして作用する。
【００３５】
好ましくは、接続箱は、ネックを楽器の本体に、および／または本体から可逆的に取り付けおよび／または取り外すための可逆的取り付け機構を収容する。好ましくは、接続箱は、ネックを楽器の本体に取り外し可能に固定するための手段を備える。
【００３６】
好ましくは、可逆的取り付け機構は、ロックおよび／またはロック解除手段を含む。一実施形態では、可逆的取り付け機構は、ラッチ部材を備え、ラッチ部材は、好ましくは、接続箱上に取り付けられる。一実施形態では、ラッチ部材は、接続箱のヒールに取り付けられてもよい。好ましくは、ラッチ部材はフック要素を含む。好ましくは、ラッチ部材は、楽器のネックに設けられたロック部材と係合することができる。一実施形態では、ラッチ部材は、楽器のネック上に設けられたロック開口と係合してもよい。別の実施形態では、ロック部材またはロック開口は、楽器の本体上に提供され得る。一実施形態では、ラッチ部材は、実質的にＬ字形であってもよい。
【００３７】
一実施形態では、ラッチ部材は、回転可能であってもよい。一実施形態では、楽器は、接続箱のヒールに取り付けることができる操作ハンドルをさらに含むことができる。好ましくは、操作ハンドルは、ラッチ部材に取り付けられてもよい。好ましくは、操作ハンドルの回転は、ラッチ部材の移動を駆動し、使用者がラッチ部材を、ロック部材または開口部と係合するラッチ位置から離脱位置に移動させることを可能にすることができる。反対方向への操作ハンドルの回転は、係合解除位置からロック部材または開口と係合する位置へのラッチ部材の移動を駆動し得る。好ましくは、操作ハンドルの回転によってラッチ部材の移動が駆動され、使用者がロック及び／又はロック解除位置からロック解除及び／又はロック解除位置にラッチ部材を移動させることができる。
【００３８】
別の実施形態では、ラッチ部材は、例えばロックばねの形態の付勢手段を含むことができる。付勢手段の提供は、有利には、ラッチ部材とロック部材またはロック開口との係合を補助する。好ましくは、操作ハンドルは、使用者が、ラッチ部材を、楽器のネックに設けられたロック部材または開口と係合するラッチ位置から、ロックスプリングの付勢に対して離脱位置に移動させることを可能にするために設けられてもよい。
【００３９】
典型的には、ラッチ部材は、使用時に、楽器が組み立てられた位置にあるときの楽器のネックの位置の直下の位置まで延びる。
【００４０】
有利には、可逆的取り付け機構は、ナット及びボルトのような緩い固定部品（loose fixation parts／緩み得る固定部品）の使用を必要としない。
【００４１】
別の実施形態では、ネックは、固定ボルトによって楽器の接続箱に取り付けることができる。好ましくは、固定ボルトは、接続箱上に設けられる。好ましくは、固定ボルトは、接続箱を楽器のネックに固定する。
【００４２】
好ましくは、接続箱は、楽器の本体の内側に収容される。一実施形態では、接続箱は、固定ボルト、接着剤、または他の取り付け手段によって楽器の本体内の適所に保持されてもよい。
【００４３】
好ましくは、接続箱は、木材、またはナイロンおよび／またはポリオキシメチレン（デルリンとして知られる）などのプラスチック材料を含む。一実施形態では、接続箱は、ナイロン１２を含むことができる。有利には、ナイロンおよび／またはデルリンのようなプラスチック材料を含む接続箱を提供することは、接続箱の強度および／または剛性を増加させる。有利には、木材を含む接続箱を設けることは、柔軟性を提供し、必要に応じて、接続箱の形状の調整を可能にする。さらに、木材からなる接続箱を設けることにより、他の構成要素（例えばボルト）を接続箱に取り付けることが容易になる。
【００４４】
一実施形態では、接合ボックスは、３Ｄ印刷によって形成されてもよい。好ましくは、接続箱は、ナイロンおよび／またはポリオキシメチレン（Ｄｅｌｒｉｎとして知られる）などのプラスチック材料を使用する３Ｄ印刷によって形成されてもよい。有利には、３Ｄ印刷によって接続箱を形成すると、接続箱の製造が容易になる。有利には、３Ｄ印刷によって接続箱を形成することは、接続箱を形成するために必要な部品の数を減らす。他の実施形態では、接続箱は、他の成形方法、例えば、射出成形によって形成されてもよい。
【００４５】
一実施形態では、接合ボックスは、ネックの接合ボックスへの取り付けを容易にするために、溝を備えてもよい。
【００４６】
好ましい実施形態では、組み立てられた位置において、ネックは、その近位端で本体に取り付けられ、その遠位端で楽器のヘッドストックに取り付けられる。
【００４７】
好ましくは、少なくとも１つのホイールが、楽器のネックが調整されることを可能にするために提供される。好ましくは、少なくとも２つのホイールが、楽器のネックが調整されることを可能にするために提供される。好ましくは、少なくとも１つのホイールは回転可能である。好ましくは、少なくとも１つのホイールは、楽器のネックが、その縦軸を中心として、左側または右側にわずかに回転することを可能にする。好ましくは、少なくとも１つのホイールの回転は、弦に対する首の位置を調整する。好ましくは、少なくとも１つのホイールは、一方の側が他方よりも厚いリムを備え、その結果、ネックの各側が、それが接続箱の溝付きベアリング面に対して負担するホイールのリムの厚さに応じて、弦に対して上下され得る。好ましくは、少なくとも１つのホイールは、ユーザが、どちらが厚さの最大エリアであり、どちらが厚さの最小エリアであるかを識別できるように、外側に面した表面にマークされる。典型的には、厚さの最大エリアは約５ｍｍである。通常、厚さの最小エリアは約２ｍｍである。通常、少なくとも１つのホイールの調整は、ネックが所定の位置にロックされていない場合にのみ行うことができる。別の実施形態では、ホイールが十分に広いリムで作られる場合、ネックがホイール調整の状態にあるときにユーザがホイールにアクセスすることができる。有利には、少なくとも１つのホイールが存在することにより、ユーザは、左側と右側とで異なるようにネックからの弦の高さを調整することができる。典型的には、一方の側のより軽い弦は、他方の側のより重い弦よりも小さい振動振幅を有する。有利には、少なくとも１つのホイールの存在は、右側及び左側の弦のそれぞれにおける弦とネックとの間の最適な相対的ギャップを確保するための機構を提供する。
【００４８】
好ましくは、楽器は、弦を受け入れるためのブリッジと、弦をブリッジに固定するための手段とをさらに備える。弦の張力は、楽器が分解されるたびに実質的にゼロに低減されるので、ブリッジへの弦の取付けが緩く働き、それらの再取付けを必要とすることがある。これが起こらないようにするために、弦をブリッジに固定することができる。好ましくは、楽器は、分解中にヘッドストックが取り外されるときに、弦がブリッジから外れるのを防止するための手段を備える。
【００４９】
好ましくは、ブリッジは、着脱可能部分と着脱不能部分とを含む。着脱不能部分は、着脱可能部分に固定されるように適合されることが好ましい。有利には、ブリッジは２つの部分に分離され、着脱不能部分は、着脱可能部分を迅速かつ効率的に固定するために使用することができる。これにより、ユーザは、最小限の労力で弦を楽器の本体から取り外し、交換することができる。
【００５０】
好ましくは、着脱可能部分および着脱不能部分は、楽器のブリッジを形成する。有利には、着脱可能なブリッジを設けることにより、弦が乱れたり絡まったりすることなく、弦を楽器から取り外すことができる。多くの弦楽器では、弦は、楽器の一端にあるブリッジの開口部を通して楽器に固定されている。たとえば、ギターにはブリッジがあり、ギターの一方の端で弦をギターのボディに、もう一方の端でギターのヘッドに固定する。着脱可能なブリッジを有することは、ギターのボディまたはギターまたはネックの特徴を検査または交換するために弦を着脱することを可能にするので有利であり、例えば、ギターのフレットが着用され、交換が必要になる可能性がある。あるいは、着脱可能なブリッジは、折り畳み式ギターの分解の一部として有用であり得る。一実施形態では、ブリッジの着脱可能部分は、弦を単一部品として取り外すために、着脱可能なヘッドストックと共に使用することができる。有利には、着脱可能なブリッジと着脱可能なヘッドストックとの組み合わせは、弦楽器から弦を取り外すための手段を形成することができる。有利には、着脱可能なブリッジと着脱可能なヘッドストックとの組み合わせは、弦を楽器から取り外すための迅速解放機構を提供する。
【００５１】
好ましくは、着脱可能部分は、楽器の弦を結合（連結）および／または結合解除するための手段をさらに備える。典型的には、弦を結合または結合解除するための手段は、着脱可能な部分における弦の各々のための少なくとも１つの開口部を備える。これにより、弦を着脱可能部分に固定し、楽器の本体から一体として取り外すことができる。
【００５２】
好ましくは、着脱不能部分は、着脱可能部分が着脱不能部分によって固定されたときに、着脱可能部分に結合された弦がそれぞれ対応する弦保持チャネル内に位置するように、着脱可能部分に結合された弦の位置に対応する弦のそれぞれのための弦保持チャネルを備える。着脱不能部分の弦保持チャネルは、着脱可能部分に結合された弦が正しい位置にしっかりと保持されることを可能にし、ブリッジに沿った弦の位置を変えることなく、弦が繰り返し打たれて音を生成することを可能にする。
【００５３】
好ましくは、着脱不能部分は、着脱可能部分の不注意な取り外しを防止するための保持手段を含み、保持手段は、弦の張力に対して着脱可能部分を保持するように適合される。これは、有利なことに、追加の構成要素を必要とせずに、着脱可能な部分をギターの本体にしっかりと保持することを可能にする。保持手段は、着脱可能部分が着脱不能部分に結合することを可能にし、ユーザからさらなる入力又は手間をかけることなく、着脱可能部分をしっかりと固定する。弦によって生成される張力は、着脱可能部分を着脱不能部分と接触させる。
【００５４】
好ましくは、保持手段は、本体の方向に実質的に垂直な方向への着脱可能部分の移動を防止する手段を含む。有利には、保持手段は、楽器上の緊張した弦によって生成される力が弦楽器の本体から弦を引き離すことを防止する。保持手段がなければ、弦は、弦楽器の本体から強制的に離れ、着脱可能な部分は、弦楽器の本体に対して垂直に強制的に離れることになる。
【００５５】
保持手段はリップを含み、リップは、弦楽器のネックから離れる方向に楽器の本体に実質的に平行な平面内に突出することが好ましい。好ましくは、リップは、弦楽器のネックから離れる方向に向かう着脱可能部分の端部上で着脱不能部分から突出する。リップを形成する着脱不能部分からの突出部は、着脱可能部分を適所に保持し、着脱可能部分をネックに向かって引っ張り、かつ楽器の本体に対しても垂直に引っ張る弦の力によって着脱可能部分を固定するストップを提供する。
【００５６】
好ましくは、リップは、各弦が通過することができる弦保持チャネルを備える。弦保持チャネルは、弦楽器の弦が着脱可能部分に固定され、楽器が演奏されるときに動かないように、弦楽器の弦が所定の位置に案内されることを可能にする。
【００５７】
取り外し可能および／または着脱不能部分は、舌部を有することが好ましい。好ましくは、取り外し可能および／または着脱不能部分は溝を含み、舌部は、舌部が溝によって固定されるように、溝に可逆的に結合する。舌部および溝の配置は、着脱可能部分を着脱不能部分に固定する際に使用される追加の材料を必要としない、安定した、可逆的に取り外し可能なシステムを提供するので、有利である。
【００５８】
好ましくは、弦は、ヘッドストックにより、および／またはブリッジにより、楽器から取り外されてもよい。好ましくは、楽器は、楽器から弦を迅速に解放するための手段を含む。好ましくは、迅速解放手段は、着脱可能なヘッドストック、弦ガイド手段、ブリッジの着脱可能部分、および／または摺動可能な延長部によって提供されてもよい。
【００５９】
好ましくは、楽器はギターである。より好ましくは、楽器は折り畳み式ギターである。好ましくは、楽器は、アコースティックまたはクラシックなスペインのギターであってもよい。
【００６０】
第４の態様によれば、第３の態様による接続箱を備える楽器のネックおよび本体を可逆的に取り付ける方法が提供される。
【００６１】
第５の態様によれば、第３の態様による接続箱を備える楽器を形成する方法が提供される。
【００６２】
好ましくは、接続箱を形成する方法は、３Ｄ印刷するステップを含む。別の実施形態では、接続箱を形成する方法は、射出成形するステップを含む。
【００６３】
好ましくは、楽器は、接続箱、ヘッドストックをネック及びブリッジに取り外し可能に固定するための手段の使用を含む三点固定方法を含む。
【００６４】
好ましくは、本発明は、楽器に、弦および弦ガイドを取り付けた取り外し可能な迅速解放および迅速再充填ヘッドストックの交換可能なセットを設けることを可能にし、前記ヘッドストックおよび前記弦は、例えば、アコースティックまたはクラシックギタータイプであってもよく、弦の各セットは、ブリッジの着脱可能部分に予め取り付けられてもよく、ブリッジの着脱可能部分は、ブリッジの着脱不能部分の後面に可逆的にスロットを入れるように設計され、ブリッジの着脱不能部分は、従来の手段によって楽器本体の前面パネル（例えば、楽器サウンドボックス）に固定される。
【００６５】
好ましくは、本発明は、ヘッドストックから弦を巻き戻すことなく、および／または反対側の端部で弦をそれらの取り付け具から分離することなく、ヘッドストックを折り畳み可能な弦楽器から取り外すか、またはヘッドストックを折り畳み可能な弦楽器に再び取り付けるための機構を提供し、機構は、同時に、弦を弛緩させるか、および／または適切に張力をかける。典型的には、弦を緩めることは、例えば、楽器の本体内にヘッドストックおよび／または首を収納するために、ヘッドストックおよび弦を即座に取り外すことを可能にする。典型的には、弦に張力をかけることにより、ヘッドストックおよび遠位弦アタッチメントを楽器上の適所に保持および／またはロックする。
【００６６】
好ましくは、本発明は、プレーヤ（又は、演奏者）が、ヘッドストック、すでに取り付けられた弦、およびブリッジの着脱可能部分の完全なアセンブリを迅速に交換することを可能にし、これらは、すべて同時に１つのユニットとして取り外すことができ、その結果、ギターネックへのそのヒンジ式取り付け部上でのヘッドストックの前方回転によって、弦の組み合わされた張力がゼロに戻される。好ましくは、アセンブリは、同じ楽器に適合するように設計された第２のアセンブリユニットと交換されてもよい。有利なことに、これは、プレーヤが、低張力の種類からより硬いバージョンの種類まで一組のクラシック弦を迅速に交換するのを支援し、異なる楽曲について異なる演奏特性を可能にする。
【００６７】
好ましくは、本発明は、プレーヤが、ギター弦のクラシックギターセットをギター弦のアコースティックセットと交換すること、またはその逆を可能にし、したがって楽器の性質を変化させる。好ましくは、ヘッドストックおよびブリッジの着脱可能部分を取り外すための迅速解放機構は、それらが取り付けられたままである弦と一緒に、新しいヘッドストックおよびブリッジの新しい着脱可能部分にスロットを入れた後、単に逆にされる。好ましくは、ネックの外側端部への可逆的なヒンジで固定されたアタッチメント上でヘッドストックを後方に回転させる作用により、弦を同時に緊張させ、アセンブリを所定の位置にクランプし、全体的な交換時間を極めて短くする。
【００６８】
好ましくは、楽器のネックは、楽器の本体の前面の平面に対するネックの角度の微調整を可能にする機構を使用して、ヘッドストックから、またギターの本体から分離されてもよい。有利なことに、そのような調整は、異なる弦の種類の間で変更するときに望ましいことがあり、例えば、アコースティックギタープレーヤーは、クラシックギターで通常提供されるよりも、ネックと弦との間のより小さい距離を使用してプレイすることがより容易であることを見出す。好ましくは、ネックの角度の調整は、弦に張力を加えた後に行われ、これは、好ましくは、ネックをボディ固定ボルトに緩めることによって（例えば、古典的なギター装置の場合）、またはより少ない程度で（例えば、アコースティックギター装置の場合）緩めることによって行われる。
【００６９】
有利なことに、本発明は、長い時間がかかる場合があるプレーヤが弦をチューニングするプロセスを回避することを可能にする。例えば、演奏中に弦が切れた場合、通常、プレーヤは、新しい弦がフィットされ、チューニングされている間、視聴者を待たせておくのではなく、予備の楽器を使用する必要がある。有利なことに、本発明は、プレーヤが慣れていないかもしれず、同じ特性を有していないかもしれない予備の楽器を使用することをプレーヤに要求することなく、弦のセット全体が、以前に同調された弦の別のセットと交換されることを可能にする。有利なことに、本発明による弦を交換するとき、古典的なギター弦の場合には、リテンション後にチューニングのわずかな変更のみが必要とされ、一方、アコースティックギター弦の場合には、ネックとギター本体の角度が変更されない限り、チューニングペグに対する調整は、通常、ほとんどまたは全く必要とされないことが見出された。
【００７０】
本発明は、以下の図面および図面を参照して、例としてさらに説明される：
図１は、本発明の一実施形態に係る楽器の正面図である。
図２は、本発明の一実施形態によるヘッドストックの斜視図である：
図３は、本発明の一実施形態によるヘッドストックの側面図である。
図４は、本発明の一実施形態によるヘッドストックのさらなる斜視図である。
図５は、本発明の一実施形態による分離構成（分離した構成）のヘッドストックの側面斜視図である。
図６は、本発明の一実施形態によるヘッドストックの一部の斜視図である。
図７は、本発明の一実施形態によるヘッドストックの正面図である。
図８は、本発明の一実施形態による弦ガイド手段の正面斜視図である。
図９は、本発明の一実施形態による弦ガイド手段の背面斜視図である。
図１０は、本発明の一実施形態によるヘッドストックの正面図である。
図１１は、本発明の一実施形態によるヘッドストックの一部の正面図である。
図１２は、本発明の一実施形態によるヘッドストックの一部の正面図である。
図１３ａは、本発明の一実施形態によるネックの一部およびヘッドストックの一部の平面図である。
図１３ｂは、本発明の一実施形態によるヘッドストックの一部の平面図である。
図１４は、本発明の一実施形態によるヘッドストックの正面斜視図である。
図１５は、本発明の別の実施形態によるヘッドストックの一部の正面斜視図である。
図１６ａは、本発明の一実施形態による接続箱の後方斜視図（下側）である。
図１６ｂは、本発明の一実施形態による接続箱の正面斜視（内端）図である。
図１７ａは、本発明の一実施形態による接続箱の斜視側面図である。
図１７ｂは、本発明の一実施形態による、楽器のネックと組み合わせた接続箱の斜視側面図である。
図１８ａは、本発明の一実施形態による接続箱の下方から見た斜視図（背面図）である。
図１８ｂは、本発明の一実施形態による接続箱の下方から見た斜視図（背面図）である。
図１９ａは、本発明の一実施形態による接続箱の上方から見た平面図である。
図１９ｂは、本発明の一実施形態による接続箱の側面図である。
図１９ｃは、本発明の一実施形態による接続箱の正面平面図である。
図１９ｄは、本発明の一実施形態による接続箱の側面図である。
図１９ｅは、本発明の一実施形態による接続箱の背後から見た平面図である。
図１９ｆは、本発明の一実施形態による接続箱の正面斜視平面図である。
図１９ｇは、本発明の一実施形態による接続箱の正面斜視平面図である。
図１９ｈは、本発明の一実施形態による接続箱の下から見た平面図である。
図２０は、楽器のネックの位置を調整するための手段の上から見た斜視図である。
図２１は、本発明の一実施形態によるブリッジの正面図である。
図２２は、本発明の一実施形態によるブリッジの正面図である。
【発明を実施するための形態】
【００７１】
図１〜図７によれば、本体２と、弦４のセットを支持するためのネック３とを備える楽器１が提供され、弦を楽器から単一部品として取り外すための取り外し可能な手段５、７をさらに備える。単一部品として弦を取り外すことは、さもなければ弦によって妨害されるであろう楽器の本体及びネック（首）が取り扱い容易にする（容易にアクセス可能である）ことを有利に可能にする。
【００７２】
図１〜図７によれば、第１の組の弦および第２の組の弦を含む楽器１も提供され、楽器１は、第１の組の弦または第２の組の弦のいずれかの取り付けを可能にするように適合される。一実施形態では、第１の組の弦は、クラシックギターの弦の組であり、第２の組の弦は、アコースティックギターの弦の組である。有利には、本発明の楽器は、必要に応じて楽器の弦を変更するオプションをユーザに提供し、有利には、楽器の性質を変更する。
【００７３】
図１６〜図１９によれば、楽器１と、弦のセットを支持するためのネックとが設けられ、楽器は、楽器のネック３と本体４とを可逆的に接合し、楽器のネックと本体とに構造的剛性を与えるように適合された接続箱５４をさらに備える。有利には、接続箱は、支持を提供し、楽器のネックおよび本体に機械的剛性を確保する。
【００７４】
楽器は、折り畳み可能な楽器であることが好ましい。
【００７５】
楽器は、ヘッドストック６と、ヘッドストックをネックに取り外し可能に固定するための手段とを含む。有利には、弦４は、ヘッドストックから弦を巻き戻すことなく楽器から取り外すことができ、したがって、弦を取り外すのに要する時間が短縮される。
【００７６】
組み立てられた位置において、ネック３は、その近位端８で本体に取り付けられ、その遠位端９でヘッドストックに取り付けられる。ヘッドストックはネックに取り外し可能に接続されているため、分解された部品は、本体によって規定されたスペースに完全に適合することができる。取り外し可能な固定手段は、ヒンジ１０を含む。これに加えて、またはこれに代えて、使用中のヘッドストックの偶発的な前方への変位を防止するために、ヘッドストックとネックとの間に保持フックなどの保持手段を設けることができる。保持手段は、ヘッドストックの背面をネックの背面に接合するように配置される（すなわち、第１の組の弦を含む側ではない）。一実施形態では、保持手段は、弾性であり、例えば、ばね装荷される。
【００７７】
ヘッドストックは、ヘッドストック６を楽器のネック３に取り付けるヒンジピン１０を備える。図３に示すように、ヘッドストック６に設けられたヒンジピン１０は、楽器のネックに設けられたフック３１と係合し、ヘッドストックを楽器のネックに取り付ける。木製ブロック１１が、ヒンジピンに実質的に隣接して設けられている。有利には、ブロックは、弦が絡まらないようにする。ヘッドストック上に設けられたヒンジピン１０及びブロック１１の配置は、図１２に示されており、ヒンジピン１０は、ネックの長手方向軸に実質的に垂直なヘッドストックの軸に沿った実質的に中央の位置、好ましくはネックに実質的に隣接する位置に設けられている。
【００７８】
有利には、弦の張力は、楽器を組み立てられた状態に維持する。
【００７９】
この楽器は、弦を案内するためのガイド手段１２、１４を備えている。楽器の分解中に、弦の相対的な空間的位置が著しく変化することがあり、これは、再組み立てを面倒にし、困難にする可能性がある。ガイド手段は、再組み立てプロセスを容易にするであろう。
【００８０】
ガイド手段は、ネック３のナット１５において、弦を互いに対して所定の位置に案内することができる。例えば、弦が通過するヘッドストック６上に可動ガイド手段を設けることができ、これは弦を互いに対してそれらの空間位置に保持し、ヘッドストックが再取り付けされると、弦が自動的にそれらの正しい位置に案内されるようにする。これに加えて、又はこれに代えて、ガイド手段は、弦を互いに対して所定の位置に維持することができる。楽器の弦は、それらの異なる張力特性のために、全て異なる長さであることが分かる。これは、弦が依然としてヘッドストック及び本体に取り付けられているので、ヘッドストックがネックから取り外されて本体内に収容されるときに絡み合う問題を引き起こすことがある。このガイド手段は、分解工程及び収納の間、弦をヘッドストック上の位置にトラップすることを可能にする。
【００８１】
楽器は、弦を案内するための第１及び第２のガイド手段１２、１４を含む。
【００８２】
ヘッドストックで弦を互いに相対的な位置に案内するために、第１のガイド手段１２は、ヘッドストック６に対して、それに対する横方向の動きを伴わずに旋回するよう適合されている。例えば、図５に示すように、第１のガイド手段１２は、弦位置決め揺動アームとして設けられている。好ましくは、第１のガイド手段は、ヒンジピン１０および／または木製ブロック１１を収容するための開口部２７または凹部２９を備える。
【００８３】
有利には、第２のガイド手段１４は、ヘッドストックにおいて互いに対する弦の位置を維持するように適合される。
【００８４】
例えば、図５及び図６に示すように、第２のガイド手段１４は支点を有する。好ましくは、第２のガイド手段は、支点を介して弦に張力を付与するように適合される。有利には、弦張力の負荷および／または除荷は、ヘッドストック自体によって提供される支点上の同じ機械的に有利な点から、すべての弦に張力をかけることによって容易にすることができる。
【００８５】
典型的には、支点１４は弦の上方に配置され、楽器のネックに対するヘッドストックの回転中に弦がヘッドストックの平面から持ち上がるのを防止する。
【００８６】
例えば、図２に示すように、支点はローラーバーを含む。支点１４は、第１のガイド手段１２に取り付けられている。支点１４は、ヘッドストック６に取り付けられ、典型的にはヘッドストック６の両側に固定されたベアリング１６によって支持される横方向ローラーバーを備えている。
【００８７】
第２のガイド手段１２は、第１のガイド手段１４の軸として機能するようになっている。一実施形態では、第１のガイド手段１２は、第２のガイド手段１４の軸の周りを回転し得る。本実施の形態では、ローラーバー１４が第１ガイド手段１２の軸として機能する。典型的には、ローラーバー１４は、ヘッドストックの前方及び／又は後方回転の間、その下に弦をトラップするように配置され、従って、有利には、ヘッドストックの回転中に、弦がヘッドストックの前面の平面から離れるのを阻止し、これは、そうでなければ、典型的にはアコースティックギタータイプの巻取ギア装置に使用される垂直に配置された巻取ギアペグ１７（例えば、チューニングペグ）へのそれらの取り付けから緩める可能性がある。
【００８８】
有利には、支点１４は、ヘッドストック自体によって提供される支点上の同じ機械的に有利な点から全ての弦に張力を加えることによって、弦張力の負荷および／または除荷を容易にする。
【００８９】
第１及び第２のガイド手段１２、１４は、（図７に示すように）保持ピン１８によってヘッドストック６に取り付けられている。保持ピン１８は、ローラーバー１４の中心を通して挿入され、ローラーバー１４をヘッドストック上に設けられた少なくとも１つのベアリング（又は、軸受）１６との相互作用によって位置を保持することができる。少なくとも１つのベアリング１６は、保持ピン１８が通過することができる開口１７を備える。保持ピン１８は、少なくとも１つのベアリング１６とローラーバー１４の中心とを通り、組み立てられた構成で第２ガイド手段を保持する。ローラーバー１４及び少なくとも１つのベアリング１６から保持ピン１８を取り外すことにより、例えば保守のために、第２のガイド手段１４が楽器のヘッドストック６から取り外される。保持ピン１８は、弦ガイドピボットロッドとして機能し、したがって、ガイド手段の重要な一体部分である。典型的には、保持ピンは、ガイド手段１２、１４を交換する必要がない限り、取り外すことを意図していない。
【００９０】
図１４に示す実施形態では、第２のガイド手段１４は、ヘッドストック６の中央リブ３０に取り付けられ、ヘッドストックの中央リブは、同調ペグ１７の弦巻きドラム３４を含む２つのスロット３２を分離するヘッドストックの一部である。第２のガイド手段１４は、ヘッドストック６の中央リブ３０に回転可能に取り付けられた軸ロッドとして設けられている。この実施形態では、ピン３６が第２のガイド手段の中心を貫通し、ピンは、中央リブ３０の両側に取り付けられた保持プレート３８に取り付けられている。有利には、第２のガイド手段１４をヘッドストック６の中央リブ３０に取り付けることは、ユーザが調整ペグ１７の弦巻きドラム３４にアクセスするのを助け、したがって、楽器の弦を交換するプロセスを助ける。典型的には、レバーロックを使用して、楽器の弦に張力を加えるのを助けることができる。この実施形態で使用することができる楽器は、クラシックギターであり得る。
【００９１】
図１５に示す実施形態では、第２のガイド手段１４は、楽器の全ての弦４がその下を通過する軸ロッドを提供する。有利には、この実施形態では、第２の弦ガイド手段は、楽器の弦が同調ペグ１７の弦案内ドラム３４から外れるのを防止する。この実施形態では、第２のガイド手段は、互いに実質的に近接して配置された保持プレート３８によってヘッドストックに取り付けられている。一実施形態では、軸ロッドは、いずれかの側でプレートを越えて延在してもよく、弦張力操作中に、前述の実施形態のように弦を捕捉する。この実施形態では、第２のガイド手段１４は、中心点４０で第１のガイド手段１２に取り付けられ、そこから両側に延びる。第２のガイド手段は、第１のガイド手段に回転可能に取り付けられ、楽器が組み立てられた構成にあるとき、楽器の弦の上に配置される。有利には、第２のガイド手段は、中心点で第１のガイド手段に取り付けられ、自由外端４２を備え、これは、有利には、ユーザが自由外端４２の下に弦を送ることを可能にし、楽器の弦を交換するときにユーザを補助する。この実施形態で使用することができる楽器は、スチール弦アコースティックギターであり得る。
【００９２】
楽器は、楽器のネック３からヘッドストック６を取り付ける及び／又は取り外すのを助けるように適合された摺動可能な延長部２０を更に含む。摺動可能な延長部２０は、ヘッドストックの遠位端に設けられ、ヘッドストックの遠位端に隣接する第１の位置から、ヘッドストックの遠位端から延在する第２の位置まで移動可能である。有利には、摺動可能な延長部２０が第２の位置にあるとき、ヘッドストックの長さは、ヘッドストックをネックから取り外し又はネックに取り付けるのに必要な労力が低減されるように、効果的に延長される。スライド可能な延長部は、典型的には、少なくとも１つの金属ロッド、好ましくは２つの金属ロッドに取り付けられた木製ディスク２１を含む。有利には、木製ディスク２１と金属ロッド２２との組み合わせは、使用者が弦を楽器から迅速に取り外すのを助けるレバーを提供する。
【００９３】
ネック３は、本体２に取り外し可能に接続され、楽器は、ネックを本体に取り外し可能に固定するための手段を備える。固定手段は、ネックを組み立てられた位置で本体に固定するための手段を含むことができる。楽器は、楽器の本体に対してネックを調整するための手段をさらに備える。
【００９４】
図１６〜図２０を参照すると、接続箱５４は、ネック３と楽器の本体とを接続するためのアンカーポイントとして作用する。有利には、接続箱５４は、支持を提供し、楽器のネック３および本体に機械的剛性を確保する。都合のよいことに、ネック３および本体の可逆的な取り付けは、可撓性を提供し、例えば、ネック３および本体が、折り畳み式楽器の組み立ておよび／または分解の間に、互いに可逆的に取り付けられ、かつ／または取り外されることを可能にする。接続箱は、ネック３と楽器の本体とを接続するためのアンカーポイントとして作用し、楽器の本体への及び／又は本体からのネックの迅速な取り付け及び／又は取り外しを可能にする。
【００９５】
図１６ａおよび図１７ａは、本発明の実施形態による接続箱を示し、接続箱は、ナイロン１２などのナイロンを含む。図１６ｂおよび図１７ｂは、本発明の別の実施形態による接続箱を示し、接続箱は木材を含む。
【００９６】
接続箱５４は、典型的には、楽器の本体内に収容され、接着剤、固定ボルト、または別の取り付け機構によって楽器の本体に取り付けることができる。接続箱の表面６０は、本体の内面に取り付けられてもよい。
【００９７】
図１７ｂは、接続箱５４と組み合わされた楽器のネック３を示す。
【００９８】
接続箱５４は、ネックを楽器の本体に接合するための可逆的取り付け機構を収容し、ネック３を楽器の本体に取り外し可能に固定するための手段を備える。可逆的取り付け機構は、ロック手段およびロック解除手段を備える。
【００９９】
図１８ａは、木材を含む接続箱を示す。図１８ｂは、ナイロン（ナイロン１２など）を含む接続箱を示す。
【０１００】
図１８ａに示すように、可逆的取り付け機構は、楽器のネック３に設けられたロック部材またはロック開口５９と係合し得る接合箱５４に取り付けられたフックの形態で設けられたラッチ部材５６を備える。図１８ａおよび図１８ｂに示す接続箱は、ヒール５７を備える。
【０１０１】
一実施形態では、ラッチ部材５６は回転可能であってもよい。図１８ａに示す実施形態では、楽器は、接続箱のヒール５７に取り付けることができる操作ハンドル５８をさらに備えることができる。操作ハンドル５８は、ラッチ部材５６に取り付けることができる。操作ハンドル５８の回転は、ラッチ部材５６の移動を駆動し、使用者がラッチ部材５６をロック部材５９または開口と係合するラッチ位置から離脱位置へ移動させることを可能にすることができる。反対方向への操作ハンドル５８の回転は、係合解除位置から係止部材５９または開口と係合する位置へのラッチ部材の移動を駆動し得る。
【０１０２】
別の実施形態では、ラッチ部材５６は、例えばロックばねの形態の付勢手段を含むことができる。付勢手段を設けることは、ラッチ部材５６とロック部材５９との係合を有利に補助する。好ましくは、使用者がラッチ部材５６を、楽器のネックに設けられたロック部材５９と係合するラッチ位置から、ロックスプリングの付勢に抗する（又は、付勢に対する）離脱位置に移動させることを可能にするために、操作ハンドル５８が設けられてもよい。
【０１０３】
ラッチ部材５６は、楽器が組み立てられた位置にあるとき、使用時に楽器のネック３の位置の直下の位置まで延びている。
【０１０４】
有利には、可逆的取り付け機構は、ナット及びボルトのような緩い固定部品の使用を必要としない。
【０１０５】
別の実施形態では、ネックは、固定ボルトを介して楽器の接続箱に取り付けることができる。
【０１０６】
図１９ａ〜図１９ｈは、本発明の一実施形態による接続箱５４の様々な構成を示す。図１９ａ〜１９ｈでは、ラッチ部材５６は、ロック部材５９と係合するように示されている。ロック部材５９は、典型的には、楽器のネック３に取り付けられるか、又はその一部を形成することができる。
【０１０７】
接続箱５４は、木材、またはナイロンおよび／またはポリオキシメチレン（Ｄｅｌｒｉｎとして知られている）などのプラスチック材料を含む。有利には、ナイロン又はデルリンのようなプラスチック材料を含む接続箱５４を設けることは、接続箱の強度を増加させる。有利には、木材を含む接続箱５４を設けることにより、必要に応じて、接続箱の形状に調整するための柔軟性が得られる。さらに、木材を含む接続箱を設けることにより、接続箱への他の構成要素の取り付けが容易になる。
【０１０８】
一実施形態では、接続箱５４は、３Ｄ印刷によって形成される。好ましくは、接続箱４は、ナイロンおよび／またはポリオキシメチレン（Ｄｅｌｒｉｎとして知られている）などのプラスチック材料を使用する３Ｄ印刷によって形成することができる。有利には、３Ｄ印刷によって接続箱を形成すると、接続箱の製造が容易になる。有利には、３Ｄ印刷によって接続箱を形成することは、接続箱を形成するために必要な部品の数を減らす。他の実施形態では、接続箱は、他の成形方法、例えば、射出成形によって形成されてもよい。
【０１０９】
組み立てられた位置では、ネック３は、その近位端で本体に取り付けられ、その遠位端でヘッドストックに取り付けられる。分解された部品が本体によって規定された空間内に完全に適合することができるように、ヘッドストックはネックに取り外し可能に接続されている。
【０１１０】
別の実施形態では、ネック３は、固定ボルトを介して楽器の接続箱５４に取り付けることができる。
【０１１１】
図１６〜１９を参照すると、楽器と共に使用するための接続箱５４が提供され、接続箱５４は、楽器のネック３および本体を可逆的に接合し、楽器のネックおよび本体に構造的剛性を提供するように適合される。
【０１１２】
図１６〜図１９を参照すると、上記で定義されたような接続箱５４を備える楽器のネックおよび本体を可逆的に取り付ける方法が提供される。
【０１１３】
図１６〜図１９を参照すると、楽器のネック３および本体を可逆的に接合し、楽器のネックおよび本体に構造的剛性を提供するように適合された接続箱５４を形成する方法が提供されている。
【０１１４】
一実施形態では、接続箱を形成する方法は、３Ｄ印刷のステップを含む。別の実施形態では、接続箱を形成する方法は、射出成形ステップを含むことができる。
【０１１５】
図２０を参照すると、２つのホイール６２、６４が、楽器のネックを調整できるように設けられている。ホイール６２、６４は、ネックの下側に取り付けられ、回転可能である。ホイールの回転は、弦に対する楽器のネックの位置を調整する。ホイールを使用すると、装置のネックを縦軸を中心にして左右にわずかに回転させることができる。ホイール６２、６４は、一方の側面８２が他方８４よりも厚いリム８０を備え、その結果、ネックの各側面は、それが接続箱の溝付きベアリング面８６に対して負担する（又は、ベアリングする）ホイールのリムの厚さに応じて、ネックの各側面を弦に対して上昇又は下降させることができる（図１７参照）。好ましくは、ホイール６２、６４は、ユーザが厚さの最大エリアであり、厚さの最小エリアであるものを識別できるように、外側に面した表面９０上にマークされている。典型的には、厚さの最大エリアは約５ｍｍである。通常、厚さの最小エリアは約２ｍｍである。典型的には、少なくとも１つのホイールの調整は、ネックが所定の位置にロックされていないときにのみ行うことができるが、ホイールが十分に幅の広いリムで作られている場合には、ネックがその場にあるときにユーザがアクセスしてその調整を補助することができる。有利には、少なくとも１つのホイールが存在することにより、ユーザは、左側と右側とで異なるようにネックからの弦の高さを調整することができる。典型的には、一方の側のより軽い弦は、他方の側のより重い弦よりも小さい振動振幅を有する。有利には、少なくとも１つのホイールの存在は、右側及び左側の弦のそれぞれにおける弦とネックとの間の最適な相対的ギャップを確保するための機構を提供する。
【０１１６】
一実施形態では、ネックを本体に取り付ける機構は、楽器のネックに取り付けられたロック部材と係合する楽器の本体に取り付けられたラッチ部材を含むことができる。有利には、この実施形態の機構は、ナットやボルトのような緩い固定部品の使用を必要とせず、工具の使用を必要としない。ラッチ部材は、実質的にＬ字形とすることができ、例えばロックばねの形態の付勢手段を含むことができる。付勢手段を設けることは、ラッチ部材とロック部材との係合を有利に補助する。ユーザが、ラッチ部材を、楽器のネックに設けられたロック部材と係合するラッチ位置から、ロックばねの付勢に抗する離脱位置に移動させることを可能にするために操作ハンドルが設けられてもよい。一実施形態では、操作ハンドルは、ラッチ部材に取り付けられてもよい。別の実施形態では、ネックは、固定ボルトを介して楽器の本体に取り付けることができる。
【０１１７】
楽器１は、弦を受け入れるためのブリッジ２４と、弦をブリッジに固定するための手段とをさらに備える。弦の張力は、楽器が分解されるたびにゼロに低減されるので、ブリッジへの弦の取付けが緩く働き、それらの再取付けを必要とすることがある。これが起こらないようにするために、弦をブリッジに固定することができる。好ましくは、楽器は、分解中にヘッドストックが取り外されるときに、弦がブリッジから外れるのを防止するための手段を備える。
【０１１８】
図２１および図２２を参照すると、ブリッジは、着脱可能部分７および着脱不可部分２５を備え、着脱不可部分２５は、着脱可能部分７に固定されるように適応される。有利には、ブリッジは２つの部分に分離され、着脱不能部分は、着脱可能部分を迅速かつ効率的に固定するために使用することができる。これにより、ユーザは、最小限の労力で弦を楽器の本体に取り外し、交換することができる。着脱可能な部分と着脱不能な部分は、楽器のブリッジを形成する。有利には、着脱可能なブリッジを設けることにより、弦が乱れたり絡まったりすることなく、弦を楽器から迅速に取り外すことができる。多くの弦楽器では、弦は、楽器の一端にあるブリッジの開口部を通して楽器に固定されている。たとえば、ギターはブリッジを有し、ギターの一方の端で弦をギターのボディに、もう一方の端でギターのヘッドに固定する。着脱可能なブリッジを有することは、ギターのボディまたはギターまたはネックの構成を検査または交換するために弦を着脱することを可能にするので有利であり、例えば、ギターのフレットがすりきれ（又は、古くなり）、交換が必要になる可能性があるためである。あるいは、着脱可能なブリッジは、折り畳み式ギターの分解の一部で有用であり得る。一実施形態では、ブリッジの着脱可能部分は、弦を単一部品として取り外すために、着脱可能なヘッドストックと共に使用することができる。有利には、着脱可能なブリッジと着脱可能なヘッドストックとの組み合わせは、弦楽器から弦を取り外すための手段を形成することができる。したがって、本発明のブリッジの着脱可能部分および着脱不可能部分は、楽器からの弦の迅速な解放を補助する。
【０１１９】
着脱可能部分７は、楽器の弦に可逆的に結合するための手段をさらに備える。典型的には、弦を可逆的に結合するための手段は、着脱可能部分に弦の各々のための少なくとも１つの開口部２７を備える。これにより、弦を着脱可能部分に固定し、楽器の本体から一体として取り外すことができる。
【０１２０】
着脱不能部分は、着脱可能部分に結合された弦の位置に対応する弦の各々のための弦保持チャネル２６を含み、着脱可能部分が着脱不能部分によって固定されると、着脱可能部分に結合された弦は、それぞれ、対応する弦保持チャネル内に着座する（収まる）。着脱不能部分の弦保持チャネルは、着脱可能部分に結合された弦が正しい位置にしっかりと保持されることを可能にし、ブリッジに沿った弦の位置を変えることなく、弦が繰り返し打たれて音を生成することを可能にする。
【０１２１】
着脱不能部分２５は、着脱可能部分の不注意な取り外しを防止するための保持手段を含み、保持手段は、弦の張力に対して着脱可能部分を保持するように適合される。これは、有利なことに、追加の構成要素を必要とせずに、着脱可能な部分をギターの本体にしっかりと保持することを可能にする。保持手段は、着脱可能部分が着脱不能部分に結合し、ユーザからのさらなる入力又は手間をかけることなく、着脱可能部分をしっかりと固定することを可能にする。弦によって生成される張力は、着脱可能部分を着脱不能部分と接触させる。
【０１２２】
保持手段は、本体の方向に実質的に垂直な方向への着脱可能部分の移動を防止する手段を備える。有利には、保持手段は、楽器上の緊張した弦によって生成される力が弦楽器の本体から弦を引き離すことを防止する。保持手段がなければ、弦は、弦楽器の本体から強制的に離れ、着脱可能な部分は、弦楽器の本体に対して垂直に強制的に離れることになる。
【０１２３】
保持手段は、リップ２８を含み、リップは、弦楽器のネックから離れる方向に、楽器の本体に実質的に平行な平面で突出する。リップは、弦楽器のネックから離れる方向に向かって着脱可能部分の端部で着脱不能部分から突出する。リップを形成する着脱不能部分からの突出部は、着脱可能部分を適所に保持し、かつ、着脱可能部分をネックに向かってかつ楽器の本体に対して垂直に引っ張る弦の力によって着脱可能部分を固定するストップを提供する。
【０１２４】
リップは、各弦が通過できる弦保持チャンネル２６を含む。弦保持チャネル２６は、弦楽器の弦が、着脱可能な部分に固定され、楽器が演奏されるときに動かないように、所定の位置に案内されることを可能にする。
【０１２５】
着脱可能および／または着脱不能な部分は、舌部を有する。好ましくは、取り外し可能および／または着脱不能部分は溝を含み、舌部は、舌部が溝によって固定されるように、溝に可逆的に結合する。舌部および溝の配置は、着脱可能部分を着脱不能部分に固定する際に使用される追加の材料を必要としない、安定した、可逆的に取り外し可能なシステムを提供するので、有利である。
【０１２６】
有利には、弦は、ヘッドストック６を介して及び／又はブリッジ２４を介して楽器から取り外されてもよい。したがって、楽器の弦を解放するための迅速解放手段は、着脱可能なヘッドストック６、ブリッジ７の着脱可能な部分、および／または摺動可能な延長部２０によって提供されてもよい。
【０１２７】
好ましくは、楽器はギターである。より好ましくは、楽器は折り畳み式ギターである。好ましくは、楽器は、アコースティックまたはクラシックなスペインギターであってもよい。
【０１２８】
有利には、本発明は、弦および弦ガイド１２、１４が取り付けられた、交換可能な迅速解放および迅速再取付ヘッドストック６のセットを楽器に提供することを可能にし、前記ヘッドストックおよび前記弦は、例えば、アコースティックまたはクラシックギタータイプであってもよく、弦の各セットは、ブリッジの着脱可能な部分７に予め取り付けられてもよく、ブリッジの着脱可能な部分は、ブリッジの着脱不能な部分２５の後面に可逆的に挿入される（又は、すっぽり入る）ように設計され、ブリッジの着脱不能な部分は、従来の手段によって楽器本体２またはサウンドボックスの前面パネルに固定される。
【０１２９】
有利には、本発明は、ヘッドストック６から弦を巻き戻したり、反対側の端部（例えば、ブリッジ２４）の取り付け部から弦を分離したりすることなく、ヘッドストック６を折り畳み可能な弦楽器１から取り外したり、ヘッドストックを折り畳み可能な弦楽器１を再び取り付けたりするための機構を提供し、この機構は、同時に、弦を弛緩させ、かつ／または適切に張力をかける。典型的には、弦を緩めることにより、例えば、楽器の本体２内にヘッドストック及び／又はネックを収納するために、ヘッドストック及び弦を即座に取り外すことができる。典型的には、弦に張力をかけることにより、ヘッドストックおよび遠位弦アタッチメントを楽器上の適所に保持および／またはロックする。
【０１３０】
有利なことに、本発明は、プレーヤが、ヘッドストック６、すぐに取り付けられた弦、およびブリッジの着脱可能部分の完全なアセンブリを迅速に交換することを可能にし、これらはすべて、弦の組み合わされた張力が、ギターネックへのそのヒンジ結合された取り付け部上のヘッドストックの前方回転によってゼロに戻されるのと同時に、１つのユニットとして取り外すことができる。有利には、アセンブリは、同じ楽器に適合するように設計された第２のアセンブリユニットと置き換えてもよい。これは、プレーヤが、低張力の種類からより硬いバージョンの種類まで一組のクラシックな弦を迅速に交換するのを有利に支援し、異なる楽曲の異なる演奏特性を可能にすることができる。
【０１３１】
本発明は、プレーヤが古典的なギターのセット（又は、設定）のギター弦をアコースティックのセットのギター弦と交換すること、またはその逆を可能にし、したがって楽器の性質を変化させるので、さらなる利点を提供する。好ましくは、ヘッドストック６およびブリッジの着脱可能部分７を取り外すための迅速解放機構は、それらが取り付けられたままである弦と一緒に、新しいヘッドストックおよびブリッジの新しい着脱可能部分に挿入された（又は、すっぽり入れた）後、単に逆にされる。好ましくは、ネック３の外側端部に可逆的にヒンジ固定されたアタッチメント上でヘッドストック６を後方に回転させる動作は、弦を同時に緊張させ、アセンブリを所定の位置にクランプし、全体的な交換時間を極めて短くする。
【０１３２】
有利には、楽器のネック３は、楽器の本体２の前面に対するネック３の角度の微調整を可能にする機構を使用して、ヘッドストック６から、またギターの本体２から分離されてもよい。有利なことに、そのような調整は、異なる弦の種類の間での変更に望ましいことがあり、例えば、アコースティックギタープレーヤーは、クラシックギターで通常提供されるよりも小さいネックと弦との間のより距離を使用してプレイすることがより容易であることを見出す。好ましくは、ネックの角度の調整は、弦に張力を加えた後に行われ、これは、好ましくは、ネックをボディ固定ボルトにより大きい程度で（例えば、古典的なギター装置の場合）、またはより少ない程度で（例えば、アコースティックギター装置の場合）緩めることによって行われる。
【０１３３】
有利なことに、本発明は、長い時間がかかる場合があるプレーヤが弦をチューニングするプロセスを回避することを可能にする。例えば、演奏中に弦が切れた場合、通常、プレーヤは、新しい弦がフィットされ、チューニングされている間、視聴者を待たせておくのではなく、予備の楽器を使用する必要がある。有利なことに、本発明は、プレーヤが慣れていないかもしれず、同じ特性を有していないかもしれない予備の楽器を使用することをプレーヤに要求することなく、弦のセット全体が、以前に同調された弦の別のセットと交換されることを可能にする。有利なことに、本発明により弦を交換するとき、古典的なギター弦の場合には、リテンション後にチューニングのわずかな変更のみが必要とされ、一方、アコースティックギター弦の場合には、ネックとギター本体の本体角度が変更されない限り、チューニングペグに対する調整は、通常、ほとんどまたは全く必要とされないことが見出された。
【０１３４】
使用時に、第１のガイド手段１２は、第２のガイド手段１４の周りを回転することができ、ヘッドストック６は、ヒンジピン１０をネック上の対応する取り付け部分３１から係合解除することによって、ネック３から解放することができる。使用者は、スライド可能な構成要素２０をヘッドストック６の遠位端から離れるように延ばし、この構成要素をレバーとして使用して、楽器からの弦４の迅速な解放を補助することができる。弦４は、ブリッジの着脱可能部分７をブリッジの着脱不能部分２５から解放することによって、楽器のブリッジ２４から取り外すことができる。したがって、弦４は、楽器から単一部品として取り外すことができ、必要に応じて、代替の弦の組との交換を可能にする。
【０１３５】
ユーザは、例えば、ヘッドストック６を楽器のネック３に取り付けることによって、および／またはブリッジの着脱可能部分７をブリッジの着脱不能部分２５に取り付けることによって、楽器の弦を別の弦の組と交換することができる。第１および／または第２のガイド手段が弦を楽器のネックに対して所定の位置に保持するように、張力を弦に加えることができ、第１のガイド手段１２は、第２のガイド手段１４の周りを回転し得る。保持ピン１８は、第２のガイド手段を通って挿入されて、楽器のネックに対して所定の位置に弦をさらに固定することができる。
【０１３６】
使用時に、接続箱５４は、折り畳み式ギターのような楽器の本体に挿入されて、楽器のネック及び本体を可逆的に接合し、楽器のネック及び本体を支持し、機械的剛性を確保することができる。接続箱５４は、接着剤、固定ボルト、または別の取り付け機構によって楽器の本体に取り付けることができる。接続箱は、典型的には、表面６０で楽器の本体の内面に取り付けられる。
【０１３７】
接続箱５４は、楽器のネック３上に設けられたロック部材５９又はロック開口と係合するラッチ部材５６を備える。ラッチ部材５６は、操作ハンドル５８に取り付けられ、ラッチ部材５６と操作ハンドル５８の両方が、接合ボックス５４のヒール５７に取り付けられている。好ましくは、操作ハンドル５８の回転は、ユーザがラッチ部材５６をロック部材５９または開口部と係合するラッチ位置から離脱位置に移動させることを可能にするように、ラッチ部材５６の移動を駆動することができる。反対方向への操作ハンドル５８の回転は、係合解除位置から係止部材５９または開口と係合する位置へのラッチ部材５６の移動を駆動し得る。
【０１３８】
別の実施形態では、ラッチ部材５６は、例えばロックばねの形態の付勢手段を含むことができる。付勢手段を設けることは、ラッチ部材５６とロック部材５９との係合を有利に補助する。好ましくは、使用者がラッチ部材５６を、楽器のネックに設けられたロック部材５９と係合するラッチ位置から、ロックばねの付勢に対する離脱位置に移動させることを可能にするために、操作ハンドル５８が設けられてもよい。
【０１３９】
典型的には、ラッチ部材５６は、使用時に、楽器が組み立てられた位置にあるとき、楽器のネック３の位置の直下の位置まで延びている。有利には、可逆的取り付け機構は、ナット及びボルトのような緩い固定部品の使用を必要としない。
【図１】
2021500600.tif 000003
【図２】
2021500600.tif 000004
【図３】
2021500600.tif 000005
【図４】
2021500600.tif 000006
【図５】
2021500600.tif 000007
【図６】
2021500600.tif 000008
【図７】
2021500600.tif 000009
【図８】
2021500600.tif 000010
【図９】
2021500600.tif 000011
【図１０】
2021500600.tif 000012
【図１１】
2021500600.tif 000013
【図１２】
2021500600.tif 000014
【図１３ａ】
2021500600.tif 000015
【図１３ｂ】
2021500600.tif 000016
【図１４】
2021500600.tif 000017
【図１５】
2021500600.tif 000018
【図１６ａ】
2021500600.tif 000019
【図１６ｂ】
2021500600.tif 000020
【図１７ａ】
2021500600.tif 000021
【図１７ｂ】
2021500600.tif 000022
【図１８ａ】
2021500600.tif 000023
【図１８ｂ】
2021500600.tif 000024
【図１９ａ】
2021500600.tif 000025
【図１９ｂ】
2021500600.tif 000026
【図１９ｃ】
2021500600.tif 000027
【図１９ｄ】
2021500600.tif 000028
【図１９ｅ】
2021500600.tif 000029
【図１９ｆ】
2021500600.tif 000030
【図１９ｇ】
2021500600.tif 000031
【図１９ｈ】
2021500600.tif 000032
【図２０】
2021500600.tif 000033
【図２１】
2021500600.tif 000034
【図２２】
2021500600.tif 000035
【国際調査報告】
2021500600.tif 000036
2021500600.tif 000037
2021500600.tif 000038
2021500600.tif 000039
2021500600.tif 000040